(57)【特許請求の範囲】
【請求項１】
室内空間を仕切る構成部材として複数本の支柱を有する空間構造体であって、
前記支柱の本体部は、
水平断面が多角形の形状をもち、
前記多角形の各頂点位置に形成される頂角を等分する仮想線上に前記各頂点位置から外方に向けてそれぞれ延出する複数の延出部と、
前記多角形の各辺に、溝底部側の内側幅が開口部より幅広な断面溝形状をもち、略密閉された機器収納空間あるいは配線空間を形成するカバー部材を収容可能にする連結溝と、
前記連結溝に嵌められた鉄板と、を備え、
前記鉄板は、前記延出部と平行な部分と、該延出部と平行な部分から延設され前記連結溝の外方にむけて延びる一対の先端部とを有し、前記一対の先端部により前記カバー部材を挟持することを特徴とする空間構造体。
【請求項２】
前記多角形は正方形であり、
前記複数の延出部は、前記正方形の各頂点位置に形成される頂角を等分する仮想線上に前記各頂点位置から外方に向けて４方向にそれぞれ延出した４つの延出部であり、
前記連結溝は、前記正方形の４辺にそれぞれ形成されていることを特徴とする請求項１に記載の空間構造体。
【発明の詳細な説明】
【技術分野】
【０００１】
本発明は、オフィスや展示場等の室内空間を、業務環境や業務形態等の変化に対応して仕切ったり区画したりする空間構造体に関する。
【背景技術】
【０００２】
従来から、空間構造体を構成する支柱として、空間構造体で使用される機器や機器の配線を収容することが可能なスペースを設けた支柱が提案されている（例えば、特許文献１および特許文献２参照）。
【先行技術文献】
【特許文献】
【０００３】
【特許文献１】特許第５２１４２５６号公報
【特許文献２】特開２００４−３５３３５５号公報
【発明の概要】
【発明が解決しようとする課題】
【０００４】
ところで、上記特許文献１および特許文献２に記載された支柱では、機器や配線を収納するためのスペースを確保していることから支柱の外形が大きく、仕切りや区画した空間を有効利用するためにも支柱の外形を小さくしたいという要望があった。
【０００５】
また、機器や配線を収容するためのスペースが設けられているものの、この設けられたスペースに機器や配線を収容しない場合には、この収容するためのスペースがデットスペースとなる。
【０００６】
そこで、本発明の課題は、支柱の外形の小型化を図りつつ、デットスペースを低減させることが可能な支柱を用いた空間構造体を提供することである。
【課題を解決するための手段】
【０００７】
上記課題を解決するため、本発明の空間構造体は、室内空間を仕切る構成部材として複数本の支柱を有する空間構造体であって、前記支柱の本体部は、水平断面が多角形の形状をもち、前記多角形の各頂点位置に形成される頂角を等分する仮想線上に前記各頂点位置から外方に向けてそれぞれ延出する複数の延出部と、前記多角形の各辺に、溝底部側の内側幅が開口部より幅広な断面溝形状をもち、他の部材の取り付けを可能にする連結溝と、を備える。
【０００８】
上記空間構造体によれば、上記支柱は、延出部が多角形の各頂点位置に形成される頂角を等分する仮想線上に各頂点位置から延出し、多角形の各辺に他の部材の取り付けを可能にする連結溝を備えるため、多角形の各辺に他の部材により機器や配線を収容するか否かをそれぞれの辺ごとに変更することが可能である。このため、他の部材により機器や配線を収容するスペースを確保しつつ、機器や配線を収容しない場合には支柱の外形を小さくすることができ、デットスペースを低減させることができる。
【０００９】
また、本発明の空間構造体は、前記多角形は正方形であり、前記複数の延出部は、前記正方形の各頂点位置に形成される頂角を等分する仮想線上に前記各頂点位置から外方に向けて４方向にそれぞれ延出した４つの延出部であり、前記連結溝は、前記正方形の４辺にそれぞれ形成されている。
【００１０】
上記空間構造体によれば、上記支柱は正方形であり、延出部は正方形の各頂角を等分する線上に頂角から外方に向けて４方向に４つ延びており、連結溝は正方形の各頂点位置に形成される頂角を等分する仮想線上に延出されている。このため、正方形の４つの各辺にそれぞれ他の部材により機器や配線を収容することで多くの機器や配線を連結溝に収容することができる。
【００１１】
さらに、本発明の空間構造体は、前記他の部材は、略密閉された機器収納空間あるいは配線空間を形成するカバー部材であり、前記カバー部材は、前記複数の延出部の、互いに対向する前記支柱の本体部の対向面間に、前記連結溝を利用して取り付けられる。
【００１２】
上記空間構造体によれば、上記カバー部材が複数の延出部の、互いに対向する前記支柱の本体部の対向面間に、前記連結溝を利用して取り付けられるため、取り付けるカバー部材の形状を変更することによって、機器収納空間あるいは配線空間を必要に応じて増やしたり減らしたりすることができる。
【００１３】
また、本発明の空間構造体は、他の部材は、前記支柱の本体部に間仕切りパネルを連結するための連結部材であり、前記連結部材は、前記複数の延出部の、互いに対向する前記支柱の本体部の対向面間に、前記連結溝を利用して取り付けられる。
【００１４】
上記支柱を用いた空間構造体によれば、上記支柱は、各延出部の互いに対向する対向面間に、連結部材を介して間仕切りパネルを連設可能にしたため、空間構造体の外部から間仕切りパネルの端面が見え難くなり、支柱で囲まれた空間の外観の美観を向上することができる。
【発明の効果】
【００１５】
このように、本発明によれば、支柱の外形の小型化を図りつつ、デットスペースを低減させることが可能な支柱を用いた空間構造体を提供することができる。
【図面の簡単な説明】
【００１６】
【図１】本実施形態に係る空間構造体を示す斜視図である。
【図２】図１に示す空間構造体を構成する支柱を示す斜視図である。
【図３】図１に示す支柱の連結溝にカバー部材を取り付けた状態を示す断面図である。
【図４】図１に示す支柱の連結溝に図３とは異なるカバー部材を取り付けた状態を示す断面図である。
【図５】（ａ）図１に示す連結杆の平面図、（ｂ）図１に示す連結部材の平面図、（ｃ）図１に示す支柱と連結杆の連結状態を示す平面図である。
【図６】図１に示す支柱に連結部材を介して間仕切りパネルを連設した例を示す平面図である。
【図７】図１に示す支柱に連結部材を介して連結杆が連結された状態を示す斜視図である。
【図８】図１に示す支柱の床面に対する立設状態を説明するための平面図である。
【図９】図１に示す支柱の連結溝の他の用途例について説明するための図である。
【発明を実施するための形態】
【００１７】
以下、本発明の実施形態について図面を参照して説明する。はじめに、図１を参照して本発明の実施形態に係る空間構造体の概略構成について説明する。
【００１８】
なお、以下の実施形態に係る空間構造体の一例として、オフィスや展示場等の室内空間を、業務環境や業務形態等の変化に容易かつ柔軟に対応して仕切ったり区画したりすることができるとともに、空間内で使用する機器およびこの機器の配線を支柱や支柱に連結された連結杆に収容することが可能な空間構造について説明する。
【００１９】
［１．空間構造体の構成］
図１に示すように、本実施形態に係る空間構造体１は、室内空間を仕切る構成部材であり床面から立設した支柱１２と、床面に水平方向に配置された連結杆１３から略構成されている。
【００２０】
また、空間構造体１は、支柱１２と連結杆１３、連結杆１３同士をそれぞれ連結する連結部材１４と、連結杆１３同士を上面視Ｌ字状に連結した部分に取り付けられるコーナー部材１５と、支柱１２で囲まれた空間やこの空間内を仕切ったり区画したりする間仕切りパネル１６を有している。
【００２１】
間仕切りパネル１６は、一端が連結杆１３に移動可能に取り付けられたパネルであってもよいし、一端が連結杆１３に固定されたパネルであってもよい。また、一部が固定または移動可能な間仕切りパネル１６であってもよく、間仕切りパネル１６は業務環境や業務形態等に応じて適宜変更が可能である。
【００２２】
なお、以下の本実施形態では、支柱１２を介して連結される連結杆１３と、連結杆１３同士を連結する連結杆１３は同一形状のものである場合について説明するが、支柱１２を介して連結される連結杆と連結杆同士を連結する連結杆は異なる形状のものであってもよい。
【００２３】
［２．支柱の構成］
次に、図２および図３を参照して、図１に示す支柱１２の具体的な構成について説明する。
【００２４】
支柱１２は、アルミニウム製の材質で成型されており、図２に示すように、床と水平な断面が多角形（ここでは正方形）を有する支柱本体（本体部）２１と、正方形の各頂点位置に形成される頂角を等分する仮想線上に各頂点位置から外方に向けてそれぞれ延出した延出部２２と、正方形の各辺にそれぞれ形成された連結溝２３から構成されている。
【００２５】
支柱本体２１は、図２および図３に示すように、後述するアジャスター２０６を介して支柱１２を床面に立設させるための本体部ボルト孔２１１が形成されている。
【００２６】
延出部２２は、図３に示すように、正方形の各頂点位置に形成される頂角を等分する仮想線Ａおよび仮想線Ｂ上に各頂点位置から外方Ｃに向けて４つ延出して形成されている。各延出部２２の互いに対向する支柱本体２１の対向面間には、後述するカバー部材（他の部材）２００ａおよび２００ｂを係止させることが可能である。
【００２７】
連結溝２３は、図２に示すように、支柱１２の一端から他端まで連続して形成されており、図３に示すように、支柱１２の外側に開口する開口部２３１と、後述するカバー部材２００ａの係止突起部２０１が係止する係止部２３２を有している。
【００２８】
また、連結溝２３は、図３に示すように、溝底部側の内側幅Ｄが開口部２３１の開口幅Ｅよりも幅広な断面溝形状を有し、後述するカバー部材２００ａの対向する係止突起部２０１同士の距離が近くなるように撓み変形させながら係止突起部２０１を開口部２３１から支柱本体２１の内部へ挿入可能に形成されている。
【００２９】
係止部２３２は、係止突起部２０１が開口部２３１の内部に位置すると、撓み変形が復帰した係止突起部２０１と当接することにより係止突起部２０１が係止可能に形成されており、係止突起部２０１が係止部２３２に係止してカバー部材２００ａが連結溝２３に取り付けられる。
【００３０】
なお、後述するように、支柱１２の上部の連結溝２３には、連結部材１４に形成された２つの第２ビス孔４１ｂに対応する位置に、所定の角度（例えば、支柱上端面１２ａから４５度または−４５度）でビス（図示省略）が挿通可能な２つの支柱側ビス孔１２ｂを有している。このビス孔１２ｂは、後述する支柱側ネジ座１２ｄに形成されている（後述する図５（ｃ）および図５（ｄ）参照）。
【００３１】
この連結溝２３は、後述するネジ座１２ｄを支柱の上端面１２ａから下方に向けて挿入し、支柱側ネジ座１２ｄの当接部１２ｅが上端面１２ａに当接して連結溝２３内に位置することが可能な形状に形成されている。そして、支柱側ビス孔１２ｂにビスを挿通することにより、連結杆１３に固定された連結部材１４を支柱１２の上部に固定することができる。
【００３２】
なお、支柱１２の上部の連結溝２３には、連結部材１４を介して連結杆１３が連結可能であり、連結杆１３が連結されない連結溝２３には、後述するカバー部材２００ａまたはカバー部材２００ｂ等のカバー部材、コンセント、ＯＡタップ、スイッチ、アダプタ、照明等の機器を収納可能である。
【００３３】
［３．支柱に取り付け可能なカバー部材の構成］
次に、図３および図４を参照して、図２に示す連結溝２３に取り付け可能なカバー部材２００ａ、カバー部材２００ｂ（他の部材）について説明する。
【００３４】
なお、図３および図４に示すカバー部材２００ａ、カバー部材２００ｂは一例であり、連結溝２３（図２参照）に取り付け可能であればカバー部材の形状は適宜変更が可能である。
【００３５】
カバー部材２００ａおよびカバー部材２００ｂは、略密閉された機器収容空間あるいは配線空間を形成することが可能であり、複数の延出部２２の互いに対向する支柱本体２１の対向面間に連結溝２３を利用して取り付けることにより、機器および配線を連結溝２３に収容する。
【００３６】
図３に示すように、カバー部材２００ａは、連結溝２３に取り付けられると、支柱本体２１とともに水平断面が略正方形の形状となるように樹脂により成型されている。そして、配線Ｆを連結溝２３に収容する際には、予めカバー部材２００ａの内部に配線Ｆを挿通させてから係止突起部２０１を開口部２３１の内部へ挿入する。
【００３７】
図３に示すように、カバー部材２００ａのカバー側面側Ｊは、延出部２２と略平行に支柱本体２１側から外方に向けて延出して形成されている。すなわち、延出部２２と略平行に形成され、その他の部分は支柱本体２１を形成する正方形の辺に平行に形成されているため、支柱１２の外形が小さいまま（支柱１２の外形が変化することなく）、最大の機器収容空間あるいは最大の配線空間を形成することができる。
【００３８】
また、配線Ｆの径が大きい場合や配線Ｆの本数が多い場合等、カバー部材２００ａでは配線Ｆを挿通させることができない場合には、図４に示すように、カバー部材２００ａよりも大きいカバー部材２００ｂを連結溝２３に取り付けることができる。
【００３９】
カバー部材２００ｂは、連結溝２３に取り付けられると、支柱本体２１とともに水平断面が略八角形の形状となるように樹脂により成型されている。このカバー部材２００ｂは、側面視すると上部側から下部側に渡って切り込み部２０２が形成されている。
【００４０】
切り込み部２０２の近傍は、切り込み部２０２の近傍以外の部分を構成している樹脂よりも柔軟性がある柔らかい樹脂で成型されており、切り込み部２０２から配線Ｆをカバー部材２００ｂの内部に収容および取り出し可能に形成されている。
【００４１】
上記のように、切り込み部２０２から配線Ｆを収容および取り出し可能に切り込み部２０２が形成されているため、係止突起部２０１を連結溝２３の内部へ挿入した後にカバー部材２００ｂの内部に配線Ｆを挿通させることができる。
【００４２】
図４に示すように、カバー部材２００ｂのカバー側面側Ｋは、延出部２２と平行な部分Ｌと、延出部２２と直交する部分Ｍとから形成されている。カバー部材２００ａと比較すると、延出部２２と直交する部分Ｍにより支柱１２の外形は少し大きくなるものの、カバー部材２００ａよりも機器収容空間あるいは配線空間を増加することができる。
【００４３】
なお、カバー部材２００ａおよび２００ｂは、内部に配線Ｆを挿通させない場合、換言すると連結溝２３に配線Ｆを収容しない場合には、係止部２２２と係止突起部２０１の係止状態を解除してカバー部材２００ａおよびカバー部材２００ｂを連結溝２３から取り外すことが可能である。
【００４４】
上述したように、支柱１２には、カバー部材２００ａおよびカバー部材２００ｂを取り付けおよび取り外し可能に連結溝２３が形成されているため、機器の設置場所により、または、機器の設置場所の変更等により、連結溝２３に配線Ｆを収容する場所を変更することが可能である。このため、配線Ｆが外部にむき出しになることにより美観が損なわれることを防止することができる。
【００４５】
また、連結溝２３は、正方形の４つの各辺にそれぞれ形成されているため（図２参照）、４つの各辺にそれぞれ機器や配線を収容することが可能である。このため、４つの各辺のうち機器や配線を収容する辺の数を異ならせることにより、機器や配線の収納量を変更することができる。
【００４６】
さらに、カバー部材２００ａおよびカバー部材２００ｂが連結溝２３に対して取り付け可能であるため、取り付けるカバー部材によって機器収納空間あるいは配線空間を増減することができる。すなわち、必要に応じてカバー部材２００ａまたはカバー部材２００ｂを選択して機器や配線の収納量を変更することができる。
【００４７】
また、カバー部材２００ａおよびカバー部材２００ｂを取り付けおよび取り外し可能に連結溝２３が形成されている。このため、機器の設置場所により、または、機器の設置場所の変更等により、連結溝２３に配線Ｆを収容する必要がない場合は、カバー部材２００ａおよびカバー部材２００ｂを連結溝２３から取り外すことで支柱１２の外形を小さくし、支柱１２で囲まれた空間を広く利用することができる。このように、支柱１２の外形を小さくして支柱１２の軽量化を図るとともに支柱１２で囲まれたスペースを有効に活用することができる。
【００４８】
そして、連結溝２３に取り付けるカバー部材を、支柱本体２１とともに水平断面が略正方形の形状となるように成型されたカバー部材２００ａ、支柱本体２１とともに水平断面が略八角形の形状となるように成型されたカバー部材２００ｂを用いることにより、機器収納空間あるいは配線空間を確保しつつ、支柱１２の外形の美観を保つことができる。
【００４９】
上述した図３および図４に示したカバー部材２００ａおよびカバー部材２００ｂは、内部に配線Ｆを挿通して連結溝２３に配線Ｆを収容している場合を図示して説明したが、コンセント、ＯＡタップ、スイッチ、アダプタ、照明等の機器をカバー部材２００ａおよび２００ｂによって連結溝２３に収容してもよい。また、内部に収容する機器等によってカバー部材２００ｂの切り込み部２０２の形状の変更、カバー部材２００ａに切り込み部を形成することも可能である。
【００５０】
また、連結溝２３は、支柱１２の一端から他端まで連続して形成されているため、支柱１２の一端から他端までの長さと略同一の長さのカバー部材２００ａおよびカバー部材２００ｂを、支柱１２の一端から他端に亘って取り付けてもよい。また、支柱１２の一端から他端のうち部分的に一又は複数のカバー部材２００ａおよびカバー部材２００ｂを取り付けてもよい。
【００５１】
［４．連結杆の構成］
次に、図５から図７を参照して、支柱１２に連結される連結杆１３の具体的な構成について説明する。
【００５２】
連結杆１３は、アルミニウム製の材質で成型されており、図５（ａ）および図５（ｂ）に示すように、連結杆端面１３ａの外形が後述する連結部材本体４１の外形と略同一の形状を有している。すなわち、図５から図７に示すように、連結杆１３は、連結杆端面１３ａに連結部材１４が固定されると、連結部材１４の外形から連結杆端面１３ａがほぼはみ出ることなく固定可能な形状を有している。
【００５３】
連結杆１３は、図５（ａ）に示すように、水平方向に延びた連結杆本体３１と、この連結杆本体３１の上部から立設した一対の連結杆立設板３２と、凹形状が形成された連結杆凹溝３３を有している。
【００５４】
連結杆本体３１は、図５（ａ）および図７に示すように、水平方向に延びる略中空矩形形状を有している。また、連結杆本体３１の連結杆本体端面１３ａには、図５（ａ）に示すように、後述する連結部材本体４１に形成された４つの連結部材側第１ビス孔４１ａに対応する位置に４つの連結杆側第１ビス孔３１ａが形成されている。
【００５５】
一対の連結杆立設板３２は、図５（ｃ）および図７に示すように、支柱１２と連結杆１３とを連結部材１４を介して連結した場合、支柱１２の支柱上端面１２ａよりも一対の連結杆立設板３２の連結杆上端面３２ａの方が高くなるように形成されている。
【００５６】
連結杆凹溝３３は、図５（ａ）および図７に示すように、凹溝底面３３ａと一対の連結杆立設板３２により、内部に配線を収容することが可能に上方に開口した形状を有している。そして、連結杆凹溝３３は、連結杆本体３１の上部に水平方向に連続して延びて形成されている。なお、連結杆凹溝３３は、連結杆本体３１の上部に水平方向に連続して延びて形成されていてもよい。
【００５７】
また、連結杆凹溝３３は、後述する連結部材凹部４３と補形をなしている。すなわち、連結杆凹溝３３は連結部材凹部４３の横断面形状とほぼ一致させた形状をした凹溝であり、連結杆１３の連結杆端面１３ａに連結部材１４が固定されると、図５から図７に示すように、連結杆凹溝３３は連結部材凹部４３の凹形状とほぼ一致する。
【００５８】
なお、連結杆１３の下部には、間仕切りパネル１６が連設可能に形成されている。このため、連結杆１３を支柱１２に連結すると、図６（図６は、連結部材を介して間仕切りパネルを連設した例を示す図）および図７に示すように、延出部２２の互いに対向する対向面間に、連結部材１４を介して間仕切りパネル１６が位置する。
【００５９】
図６に示すように、延出部２２の互いに対向する対向面間に間仕切りパネル１６が位置するため、図６の矢印Ｇ方向からでは間仕切りパネル１６の側面側の端面が見え難くなり、支柱１２で囲まれた空間の外観の美観を向上することができる。また、図６の矢印Ｈ方向からでは、延出部２２がアクセントになるとともに、支柱１２で囲まれた空間の隅が暗くなることを防止することができるため、支柱１２で囲まれた空間の内観の美観も向上することができる。
【００６０】
［５．連結部材の構成］
次に、図５から図７を参照して、支柱１２と連結杆１３を連結する連結部材１４の具体的な構成について説明する。
【００６１】
連結部材（他の部材）１４は、約１０ｍｍ厚の鉄材で形成されており、図５に示すように、連結部材１４の外形が上述した連結杆端面１３ａの外形と略同一の形状を有している。すなわち、図５から図７に示すように、連結部材１４は、連結杆端面１３ａに固定されると、連結杆端面１３ａの外形から連結部材１４がほぼはみ出ることなく固定可能な形状を有している。
【００６２】
連結部材１４は、図５（ｂ）に示すように、床面に対して垂直方向に延びた矩形形状の連結部材本体４１と、連結部材本体４１の上部から立設した一対の連結部材立設板４２と、連結部材本体４１の上部と連結部材立設板４２とからなる連結部材凹部４３を有している。
【００６３】
連結部材本体４１は、図５および図７に示すように、床面に対して垂直方向に延びた矩形形状を有している。また、連結部材本体４１には、上述した連結杆１３に形成された４つの連結杆側第１ビス孔３１ａに対応する位置に４つの連結部材側第１ビス孔４１ａが形成されている。
【００６４】
さらに、図５（ｂ）に示すように、連結部材本体４１には、図５（ｄ）に示す支柱側ネジ座１２ｄが連結溝２３に挿入されて連結溝２３内に位置すると、支柱側ネジ座１２ｄに形成された２つの支柱側ビス孔１２ｂに対応する位置に、所定の角度でビス（図４ｃ参照）が挿通可能な２つの連結部材側第２ビス孔４１ｂが形成されている。
【００６５】
一対の連結部材立設板４２は、図５（ｃ）および図７に示すように、連結部材１４を介して支柱１２と連結杆１３を連結した場合、支柱１２の支柱上端面１２ａよりも一対の連結部材立設板４２の連結立設板上端面４２ａの方が高くなるように形成されている。
【００６６】
連結部材凹部４３は、図５（ｂ）に示すように、凹部底面４３ａと一対の連結部材立設板４２により形成されており、上部に開口した形状を有している。この連結部材凹部４３は、上述した連結杆凹溝３３と補形をなしている。すなわち、連結部材凹部４３は、連結杆凹溝３３の横断面形状とほぼ一致させた形状をした凹部であり、図５から図７に示すように、連結杆１３の連結杆端面１３ａに連結部材１４が固定されると、連結部材凹部４３は連結杆凹溝３３の凹形状とほぼ一致する。
【００６７】
上述した連結部材１４により、アルミニウム製の材質で成型されている支柱１２と連結杆１３、連結杆１３同士を強固に連結することができる。また連結部材１４により、連結杆１３に配置された配線を連結部分で生じる傷から保護することができる。
【００６８】
［６．連結部材による支柱と連結杆の連結］
次に、図５から図７を参照して、連結部材１４を介して支柱１２と２本の連結杆１３をＬ字状に交差させて連結する場合について説明する。
【００６９】
はじめに、一方の連結杆１３（例えば図７の右側の連結杆１３）および他方の連結杆１３（例えば図７の左側の連結杆１３）に連結部材を固定する。具体的には、一方の連結杆１３と他方の連結杆１３の連結杆端面１３ａにそれぞれ連結部材１４を当接し、４つの連結杆側第１ビス孔３１ａと４つの連結部材側第１ビス孔４１ａにビスを挿通してビス止めすることにより連結部材１４を連結杆端面１３ａに固定する（図５参照）。
【００７０】
次に、支柱１２に連結部材１４が固定された連結杆１３をそれぞれ固定する。具体的には、はじめに、ネジ座１２ｄを支柱の上端面１２ａから下方に向けて挿入し、支柱側ネジ座１２ｄの当接部１２ｅを上端面１２ａに当接させて支柱側ネジ座１２ｄを連結溝２３内に位置させる（図５（ｃ）および図５（ｄ）参照）。
【００７１】
次に、所定の角度でビスが挿通可能に支柱側ネジ座１２ｄに形成された支柱側ビス孔１２ｂと、連結部材１４に形成された２つの連結部材側第２ビス孔４１ｂにビスを挿通してビス止めすることにより、上面視すると一方の連結杆１３と他方の連結杆１３が連結部材１４を介して上面視するとＬ字状に交差するように連結する（図５（ｃ）および図７参照）。
【００７２】
支柱１２に連結杆１３が連結部材１４を介して連結されると、支柱１２の支柱上端面１２ａよりも一対の連結杆立設板３２の連結杆上端面３２ａおよび一対の連結部材立設板４２の連結立設板上端面４２ａの方が高くなるように連結部材１４を介して一方の連結杆１３および他方の連結杆１３が連結される（図７参照）。
【００７３】
また、支柱１２に連結杆１３が連結部材１４を介して連結されると、連結杆凹溝３３の凹溝底面３３ａと連結部材凹部５３の凹部底面４３ａと支柱上端面１２ａがほぼ面一となる位置関係となる（図７参照）。このため、連結杆凹溝３３に配線を配置した場合、支柱１２と連結杆１３の連結部において配線の取り回しが容易となり、配線が支柱１２や連結杆１３から露出することが軽減されて美観を向上することができる。
【００７４】
なお、図７に示す支柱上端面１２ａには、保護部材２１０が嵌められている。このため、一方の連結杆１３の連結杆凹溝３３から他方の連結杆１３の連結杆凹溝３３に渡って配置された配線が、本体部ボルト孔２１１や支柱１２の一端から他端に渡って形成された貫通穴２１２ａ、２１２ｂ（図３および図４参照）による破損から保護することができる。しかし、例えば、支柱１２の貫通穴２１２ａ、２１２ｂ（図３および図４参照）に配線を配置する場合等により保護部材２１０が嵌められていない方が配線を配置し易い場合には、保護部材２１０が嵌められていなくてもよい。
【００７５】
上述した連結部材１４は、図示を省略するが、一方の連結杆１３と他方の連結杆１３を連結することも可能である。例えば、上面視すると一方の連結杆１３と他方の連結杆１３が連結部材１４を介してＴ字状に交差して連結することが可能である。すなわち、支柱１２と連結杆１３を連結する場合も連結杆１３同士を連結する場合も同型の連結部材１４を用いることを可能にすることにより、連結部材１４の製造コストを低減することができる。
【００７６】
［７．支柱の床面への立設］
次に、図８を参照して、上述した支柱１２の床面に対する立設状態について説明する。
【００７７】
上述した支柱１２は、床面に対して立設させる場合には、図８に示すように、アジャスター２０６を介して床面に立設させる。具体的には、アジャスター２０６のアジャスター孔２０６ａを貫通したボルト２０７ａにロックナット２０７ｂを嵌めた後、支柱本体２１の本体部ボルト孔２１１に挿入する。
【００７８】
そして、アジャスター２０６に形成されたアジャスター側ビス孔２０８にビスを挿通し、床面にビス止めすることにより、ボルト２０７ａが挿入された支柱１２を、アジャスター２０６を介して床面に立設させる。なお、床面に段差があり複数の支柱１２同士の高さが同一にならない場合にはロックナット２０７ｂの位置を変更することにより高さを調節することが可能である。
【００７９】
上述したように、支柱本体２１は断面が正方形を有しており、正方形の各頂角を等分する線上に頂角から外方に向けてそれぞれ延出部２２が延出している。このため、各延出部２２の互いに対向する対向面間にアジャスター側ビス孔２０８が位置するように支柱１２を立設することが可能となるため、床面にビス止めする際、支柱１２を安定して床面に立設させつつ支柱本体２１や延出部２２が邪魔にならずにビス止めすることができる。
【００８０】
［８．連結溝の他の用途例］
次に、図９を参照して、本発明の実施形態に係る連結溝の他の用途の例について説明する。すなわち、図３および図４では、カバー部材２００ａおよびカバー部材２００ｂにより配線Ｆを連結溝２３に収容する場合を図示して説明したが、配線Ｆ以外にコンセント、ＯＡタップ、スイッチ、アダプタ、照明等の機器を連結溝２３に収容することができる。
【００８１】
図９に示すように、連結溝２３に鉄板２０３ａを嵌め、電源コードのタップの裏に磁石が設けられたＯＡタップ２０３ｂやＯＡタップを保護する保護カバー２０３ｃ、フルカラーコンセント２０３ｄを連結溝２３に収容することができる。
【００８２】
また、図９に示すように、鉄板２０３ａは、ＯＡタップ２０３ｂ、保護カバー２０３ｃフルカラーコンセント２０３ｄを横方向から挟持する形状を有していることが望ましい。
【００８３】
なお、図示を省略するが、連結溝２３に配線ダクトを取り付けることにより、支柱１２で囲まれた空間に合わせて配線ダクトに照明器具を接続することも可能である。
【００８４】
上述したように、機器や配線等を収容するか否かをそれぞれの辺ごと（連結溝２３ごと）に変更することができる。このため、機器や配線等を収容するスペースを確保しつつ、機器や配線を収容しない場合には支柱１２の外形を小さくすることができ、デットスペースを低減させることができる空間構造体１を提供することができる。
【００８５】
また、支柱１２の外形を小さくすることができるため、空間構造体１の軽量化を図ることができるとともに、機器や配線等を収容するか否かをそれぞれの辺ごとに変更するだけで配線の配置変更に対応することができ、空間構造体１の構造の簡易化を図ることができる。
【００８６】
［９．作用効果］
以上、上述したような空間構造体１は、室内空間を仕切る構成部材として複数本の支柱１２を有する空間構造体１であって、支柱の本体部（支柱本体２１）は、水平断面が多角形の形状をもち、多角形の各頂点位置に形成される頂角を等分する仮想線Ａおよび仮想線Ｂ上に各頂点位置から外方Ｃに向けてそれぞれ延出する複数の延出部２２と、多角形の各辺に、溝底部側の内側幅が開口部２３１より幅広な断面溝形状をもち、他の部材の取り付けを可能にする連結溝と、を備える。
【００８７】
上述した支柱１２を用いた空間構造体１によれば、支柱１２は、延出部２２が多角形の各頂点位置に形成される頂角を等分する仮想線Ａおよび仮想線Ｂ上に各頂点位置から延出し、多角形の各辺に他の部材の取り付けを可能にする連結溝２３を備えるため、多角形の各辺に他の部材により機器や配線を収容するか否かをそれぞれの辺ごとに変更することができる。このため、機器や配線を収容するスペースを確保しつつ、機器や配線を収容しない場合には支柱の外形を小さくすることができ、デットスペースを低減させることができる空間構造体を提供することができる。
【００８８】
また、支柱１２を用いた空間構造体１は、多角形は正方形であり、延出部２２は、正方形の各頂点位置に形成される頂角を等分する仮想線Ａおよび仮想線Ｂ上に各頂点位置から外方Ｃに向けて４方向にそれぞれ４つ延出しており、連結溝２３は、正方形の４つの各辺にそれぞれ形成されている。このため、４つの各辺のうち機器や配線を収容する辺の数を異ならせることにより、機器や配線の収納量を変更することができる。
【００８９】
さらに、支柱１２を用いた空間構造体１は、各延出部２２の互いに対向する対向面間に、略密閉された機器収納空間あるいは配線空間を形成するカバー部材２００ａ、カバー部材２００ｂを、連結溝２３を利用して取り付け可能にしたため、取り付けるカバー部材によって機器収納空間あるいは配線空間を増減することができる。また、カバー部材２００ａ、カバー部材２００ｂは略密閉されているため、機器や配線が外部に露出することを抑制して美観を向上することができる。
【００９０】
そして、カバー部材２００ａ、カバー部材２００ｂを連結溝２３に取り付け可能にしたため、機器の設置場所により、または、機器の設置場所の変更等により、連結溝２３に配線Ｆを収容する必要がない場合は、カバー部材２００ａおよびカバー部材２００ｂを連結溝２３から取り外すことで支柱１２の外形を小さくして、支柱１２で囲まれた空間を広く利用することができる。
【００９１】
また、支柱１２を用いた空間構造体１は、図６に示すように、各延出部２２の互いに対向する支柱本体２１の対向面間に、連結溝２３を利用して連結部材１４が取り付け可能であるため、連結部材１４により支柱本体２１に間仕切りパネル１６を連結することが可能である。このため、図６に示す矢印Ｇ方向からでは間仕切りパネル１６の端面が見え難くなり、支柱１２で囲まれた空間の外観の美観を向上することができる。
【００９２】
さらには、図６に示す矢印Ｈ方向からでは、延出部２２がアクセントになるとともに、支柱１２で囲まれた空間の隅が暗くなることを防止することができるため、支柱１２で囲まれた空間の内観の美観も向上することができる。したがって、デザイン性を向上させた空間構造体１を提供することができる。
【００９３】
［１０．変形例］
以上、本発明の空間構造体１を図示の実施形態に基づいて説明したが、本発明はこれに限定されるものではなく、各部の構成は、同様の機能を有する任意の構成のものに置き換えることができる。
【００９４】
例えば、上述した実施形態では、支柱本体２１は、床と水平な断面が正方形を有する場合を図示して説明したが、断面が三角形、五角形、六角形等の多角形であってもよい。
【００９５】
また、上述した実施形態では、４本の支柱１２を立設して空間構造体１を構成する場合について説明したが、プレゼンテーションや展示スペース等の空間にも適用することが可能である。
【００９６】
なお、本実施形態の空間構造体１は、高等教育市場においては、プレゼンテーションスペース、セミナーブース、キャリアサポートエリア、ライブラリーエリア、ゼミルーム、デジタルサイネージ等、病院市場においては、スタッフステーション、ＩＣＵスタッフステーション等、オフィス市場においては、間仕切りパネルと連携した新空間、ルームインルーム等として利用することができる。
【符号の説明】
【００９７】
１        空間構造体
１２      支柱
１２ａ    支柱上端面
１２ｂ    支柱側ビス孔
１３      連結杆
１３ａ    連結杆端面
１４      連結部材
１５      コーナー部材
１６      間仕切りパネル
２１      支柱本体
２２      延出部
２３      連結溝
３１      連結杆本体
３１ａ    連結杆側第１ビス孔
３２      連結杆立設板
３２ａ    連結杆上端面
３３      連結杆凹溝
３３ａ    凹溝底面
４１      連結部材本体
４１ａ    連結部材側第１ビス孔
４１ｂ    連結部材側第２ビス孔
４２      連結立設板
４２ａ    連結立設板上端面
４３      連結部材凹部
４３ａ    凹部底面
２００ａ  カバー部材
２００ｂ  カバー部材
【図１】
0006732434.tif 000002
【図２】
0006732434.tif 000003
【図３】
0006732434.tif 000004
【図４】
0006732434.tif 000005
【図５】
0006732434.tif 000006
【図６】
0006732434.tif 000007
【図７】
0006732434.tif 000008
【図８】
0006732434.tif 000009
【図９】
0006732434.tif 000010